(57)【要約】【課題】画面に表示しているチャンネルの放送の有無をユーザに知らせるとともに、放送がない場合は、新たに選択可能なチャンネルを画面上で放送の有無を表示しながら表すことが可能なテレビジョン装置の提供を目的とする。【解決手段】同期分離回路１２が分離したカラーテレビ信号の同期信号をマイコン１５にて検出させ放送のあるなしを判断するとともに、マイコン１５が放送なしと判断した場合はスケーラ部１３に画面に予め登録した複数のチャネルを放送するサブ画面を表示し、ユーザが次のチャネルをサブ画面に表示した映像を見ながら選択できるようにする。【選択図】図１
2008103908.tif 000002
【特許請求の範囲】
【請求項１】
テレビジョン放送を受信するチューナ部と、
チューナ部が受信したテレビジョン放送から映像信号と同期信号とを分離する同期信号分離回路と、
上記映像信号を基に一画面を構成する映像を生成するとともに、画面上に複数のサブ画面を構成して映像を表示可能なスケーラ部と、
上記チューナ部と、同期信号分離回路と、スケーラ部とを制御するマイコンと、
上記マイコンが起動するためのプログラムを記録するＲＯＭとを有するテレビジョン装置において、
上記マイコンは上記同期信号分離回路にて分離された同期信号を、所定のしきい値と比較することで同期信号の検出を行うとともに、
上記ＲＯＭは、上記マイコンが同期信号を検出しない場合は、上記スケーラ部に画面上に複数のサブ画面を表示させるとともに、予め登録されたチャンネルに対応する放送を上記サブ画面に表示させ、
さらに、上記サブ画面に表示されるチャンネルが放送を行っていない場合は、スケーラ部に放送を行っていないサブ画面の色を変化させて表示させる放送判定プログラムを記録することを特徴とするテレビジョン装置。
【請求項２】
チューナ部にてテレビジョン放送を受信して表示するとともに、画面上にサブ画面を表示可能なテレビジョン装置において、
テレビジョン放送の同期信号を検出する同期信号検出手段と、
上記同期信号検出手段が同期信号を検出した場合、画面上に表示した番組が放送されていると判断する放送判断手段と、
上記放送判断手段にて放送が行われていないと判断された場合、画面上に構成した複数のサブ画面上にて予め登録されたチャンネルに対応する放送を表示する他番組表示手段とを有することを特徴とするテレビジョン装置。
【請求項３】
上記同期信号検出手段は、テレビジョン放送の同期信号を所定のしきい値と比較することにより、同期信号の検出を行うことを特徴とする請求項２に記載のテレビジョン装置。
【請求項４】
上記同期信号検出手段は、入力される信号の所定周期における波形の変化を基に同期信号の検出を行う特徴とする請求項２に記載のテレビジョン装置。
【請求項５】
上記他番組表示手段は、上記サブ画面で表示した放送の内、放送が行われていない画面に対して放送が行われていないことをサブ画面の色を変化させることにより視覚的に表示することを特徴とする請求項２〜請求項４のいずれかに記載のテレビジョン装置。
【請求項６】
上記他番組表示手段は、上記チューナ部が受信する放送を所定周期で切り替えることにより上記複数のサブ画面に番組を表示することを特徴とする請求項５に記載のテレビジョン装置。
【請求項７】
上記他番組表示手段は、上記サブ画面に表示される番組の同期信号を上記同期信号検出手段にて検出することにより、放送が行われていないことを判断することを特徴とする請求項５または請求項６のいずれかに記載のテレビジョン装置。
【請求項８】
上記他番組表示手段は、上記サブ画面に表示される番組の放送のあるなしを電子番組表を用いて判断することを特徴とする請求項５または請求項６のいずれかに記載のテレビジョン装置。
【発明の詳細な説明】
【技術分野】
【０００１】
本発明は、テレビジョン放送を表示するテレビジョン装置に関して、特に画面に表示される番組が放送されているかを判断して、放送されていない場合は他番組への切替を促すテレビジョン装置に関する。
【背景技術】
【０００２】
テレビジョン装置は、大きくはテレビジョン放送を受信して映像と音声を表示するためのものである。テレビジョン放送としては通常のアナログ放送の他、衛星を介して送信される衛星放送、さらにはケーブルを介して配信されるケーブル放送が存在する。さらに、今後アナログ放送はディジタル放送化され、それに伴い放送される番組数の増加も見込まれる。現在テレビジョン装置でのテレビジョン放送の視聴は２４時間可能となっており、視聴者は時間に関係なくテレビジョン放送の視聴を楽しむことができる。
【０００３】
上述したテレビジョン放送の放送時間の増加理由として、一つには視聴する側の生活習慣の変化がある。具体的な一例として、夜遅くまで仕事を行うユーザでは、帰宅時間が深夜に及ぶこともあり、そのような場合ではユーザが帰宅後にテレビジョン放送を視聴することも十分にありえる。そのため、テレビジョン放送を製作する側は深夜帯での放送を充実させ、上述した例におけるユーザのニーズに対応させている。
【０００４】
上述した深夜におけるテレビジョン放送の視聴の際、視聴する時間帯および選択するチャンネルによってはテレビジョン放送が一時的に放送されていない場合が存在する。このような場合においては、選択したチャンネルの放送が行われていないことを検出して、画面上に放送が行われていない旨を表示する発明が開示されている（例えば、特許文献１、特許文献２参照）。このような場合では無論チャンネルを切り替えることにより他のチャンネルは放送を続けており、この場合リモコン装置等を用いてチャンネルを切り替えればよい。しかしながら、先にも述べた通り現在チャンネル数は増加しており、放送がディジタル放送に移行した後はさらにチャンネル数の増加が見込まれる。そのため、リモコン装置を用いて膨大なチャンネルを選択していくのは非常に煩わしさが伴う作業となる。
【０００５】
そのため選択したチャンネルに対応する放送が行われていない場合において、ユーザのチャンネル選択の煩わしさを解消するため、以下のような発明が開示されている。つまり、選択した放送が行われていない場合（無信号状態）において、チャンネルによる選択を簡略化するため、ユーザの嗜好や受信頻度の多いチャンネルを自動選択して表示する（例えば、特許文献３、特許文献４参照。）。
【特許文献１】実用新案登録第３０７８４９７号
【特許文献２】特開平０７−１７０４６６
【特許文献３】特開２００３−１８４８４
【特許文献４】特開２０００−１２５２１８
【発明の開示】
【発明が解決しようとする課題】
【０００６】
上述した特許文献３、特許文献４の発明は、次のような課題があった。つまり、画面に最初に表示させたチャンネルの放送が終了していた場合では、当然ユーザの嗜好や受信頻度に合わせて再度チャンネルを選択することとなる。しかしながら、再度選択したチャンネルの放送が行われていない場合も存在する。何故なら、放送が終了等により行われていない時間帯には、その他のチャンネルも終了になっている可能が高い。そのため、ユーザは放送が行われていない番組を再度選択することとなり、無駄な操作を行う場合がある。  
【０００７】
本発明は、上記課題にかんがみてなされたもので、現在画面に表示しているチャンネルの放送の有無をユーザに知らせるとともに、放送がない場合は、新たに選択可能なチャンネルを画面上で放送の有無を表示しながら表すことが可能なテレビジョン装置の提供を目的とする。
【課題を解決するための手段】
【０００８】
上記課題を解決するために請求項２に記載の発明は、チューナ部にてテレビジョン放送を受信して表示するとともに、画面上にサブ画面を表示可能なテレビジョン装置において、
テレビジョン放送の同期信号を検出する同期信号検出手段と、上記同期信号検出手段が同期信号を検出した場合、画面上に表示した番組が放送されていると判断する放送判断手段と、上記放送判断手段にて放送が行われていないと判断された場合、画面上に構成した複数のサブ画面上にて予め登録されたチャンネルに対応する放送を表示する他番組表示手段とを有する構成としている。
【０００９】
上記のように構成した発明では、同期信号検出手段にてテレビジョン放送の同期信号が検出されない場合は、放送判断手段が放送が行われていないと判断を行う。これにより、他番組表示手段は、予め登録されたチャンネルに対応する放送を画面上にサブ画面に表示させる。これにより、画面上では予め登録したチャンネルの内今放送が行われているチャンネルをサブ画面にて視聴することが可能となる。そのため、現在画面に表示しているチャンネルの放送の有無をユーザに知らせるとともに、放送がない場合は、新たに選択可能なチャンネルを画面上で放送の有無を表示しながら表すことが可能となる。
【００１０】
また、同期信号検出手段が同期信号を検出する具体的な構成の一例として、請求項３に記載の発明では、上記同期信号検出手段は、テレビジョン放送の同期信号を所定のしきい値と比較することにより、同期信号の検出を行う構成としている。
上記のように構成した発明では、同期信号検出手段は、入力される同期信号を所定のしきい値と比較することにより同期信号の検出を行う。そのため、同期信号の検出をしきい値を用いた簡単な方法で検出することが可能となる。
【００１１】
さらに、同期信号検出手段が同期信号を検出する他の具体的な構成の一例として、請求項４に記載の発明では、上記同期信号検出手段は、入力される信号の所定周期における波形の変化を基に同期信号の検出を行う構成としている。
上記のように構成された発明では、同期信号検出手段は、同期信号を所定周期における波形の変化を基に同期信号のあるなしを検出する。同期信号は、一定周期の波形を有するパルス波であるため、上記パルス波におけるデューティ比を検出することにより同期信号のあるなしを検出する。そのため、同期信号の検出を簡易な方法で検出することが可能となる。
【００１２】
次に、他番組表示手段の具体的な構成の一例として、請求項５に記載の発明は、上記他番組表示手段は、上記サブ画面で表示した放送の内、放送が行われていない画面に対して放送が行われていないことをサブ画面の色を変化させることにより視覚的に表示する構成としている。
上記のように構成した発明では、サブ画面上に表示されたチャンネルの放送が行われていない場合は、画面の色を変化させることにより放送が行われているサブ画面との差別化を図り、チャンネルを選択する際、ユーザがよりチャンネルを選択し易くしている。
【００１３】
また、他番組表示手段が、サブ画面に放送を表示する具体的な構成として請求項６に記載の発明では、上記他番組表示手段は、上記チューナ部が受信する放送を所定周期で切り替えることにより上記複数のサブ画面に番組を表示する構成としている。
上記のように構成した発明では、画面上に構成された複数のサブ画面に同時に映像を表示するのに、既存の装置を用いて行うことが可能となる。
【００１４】
そして、他番組表示手段がサブ画面に表示するチャンネルの放送あるなしを判断する具体的な構成の一例として、請求項７に記載の発明では、上記他番組表示手段は、上記サブ画面に表示される番組の同期信号を上記同期信号検出手段にて検出することにより、放送が行われていないことを判断する構成としている。
上記のように構成された発明では、他番組表示手段は、サブ画面に表示される放送の同期信号を同期信号検出手段により検出することで、放送のあるなしを検出する。そのため、簡易な方法でサブ画面に表示されるチャンネルの放送のあるなしを判断することが可能となる。
【００１５】
さらに、他方想表示手段がサブ画面に表示するチャンネルの放送あるなしを判断する具体的な構成の一例として、請求項８に記載の発明では、上記他番組表示手段は、上記サブ画面に表示される番組の放送のあるなしを電子番組表を用いて判断する構成としている。  上記のように構成した発明では、他番組表示手段はサブ画面に表示するチャンネルの放送あるなしを電子番組表を参照することにより判断する。そのため、同期信号を検出するための回路構成を必要とせず構成を簡易にすることが可能となる。
【００１６】
また、上述した課題を解決するための具体的な構成の一例として請求項１に記載の発明は、テレビジョン放送を受信するチューナ部と、上記チューナ部が受信したテレビジョン放送から映像信号と同期信号とを分離する同期信号分離回路と、上記映像信号を基に一画面を構成する映像を生成するとともに、画面上に複数のサブ画面を構成して映像を表示可能なスケーラ部と、上記チューナ部と、同期信号分離回路と、スケーラ部とを制御するマイコンと、上記マイコンが起動するためのプログラムを記録するＲＯＭとを有するテレビジョン装置において、
上記マイコンは上記同期信号分離回路にて分離された同期信号を、所定のしきい値と比較することで同期信号の検出を行うとともに、上記ＲＯＭは、上記マイコンが同期信号を検出しない場合は、上記スケーラ部に画面上に複数のサブ画面を表示させるとともに、予め登録されたチャンネルに対応する放送を上記サブ画面に表示させ、さらに、上記サブ画面に表示されるチャンネルが放送を行っていない場合は、スケーラ部に放送を行っていないサブ画面の色を変化させて表示させる放送判定プログラムを記録する構成としている。
【発明の効果】
【００１７】
以上説明したように本発明によれば、選択したチャンネルに放送が行われているかをユーザに知らせるとともに、放送がない場合は、新たに選択可能なチャンネルを画面上で放送の有無を表示しながら表すことが可能なテレビジョン装置の提供を目的とする。
また請求項３にかかる発明によれば、同期信号の検出をしきい値を用いた簡単な方法で検出することが可能となる。
そして請求項４にかかる発明によれば、そのため、同期信号の検出を簡易な方法で検出することが可能となる。
さらに請求項５にかかる発明によれば、画面の色を変化させることにより放送が行われているサブ画面との差別化を図り、チャンネルを選択する際、ユーザがよりチャンネルを選択し易くすることが可能となる。
【００１８】
また請求項６にかかる発明によれば、画面上に構成された複数のサブ画面に同時に映像を表示するのに、既存の装置を用いて行うことが可能となる。
そして請求項７にかかる発明によれば、簡易な方法でサブ画面に表示されるチャンネルの放送のあるなしを判断することが可能となる。
さらに請求項８にかかる発明によれば、同期信号を検出するための回路構成を必要とせず構成を簡易にすることが可能となる。
さらに請求項１のような、より具体的な構成において、上述した請求項２〜請求項８の各発明と同様の作用を奏することはいうまでもない。
【発明を実施するための最良の形態】
【００１９】
本発明のテレビジョン装置の具体的な説明として、下記の順序に従って本発明の実施形態を説明する。
（１）第一の実施の形態
（１−１）テレビジョン装置の構成
（１−２）同期信号検出方法
（１−３）サブ画面の表示方法
（２）第一の実施の形態のまとめ
（３）第二の実施の形態
（４）第二の実施の形態のまとめ
【００２０】
（１）第一の実施の形態
（１−１）テレビジョン装置の構成
以下、図１〜図４を参照して、この発明に係るテレビジョン装置を具体化した第１の実施の形態について説明する。図１はテレビジョン装置１０のブロック構成図である。同図より、テレビジョン装置１０は、アンテナ２０が受信したテレビジョン信号より所定の放送に対応したカラーテレビ信号を抽出するチューナ部１１と、チューナ部が抽出したカラーテレビ信号より、映像信号と同期信号を分離する同期分離回路１２と、同期分離回路１２が分離した映像信号を基に、所定の信号処理を行うスケーラ部１３と、スケーラ部１３や同期分離回路１２、さらにはチューナ部１１を制御するマイコン１４と、マイコン１４が起動するためのプログラムを記録するＲＯＭ１５と、映像信号と同期信号とを基に映像を表示するための表示パネル１６とから構成されている。
【００２１】
以下にテレビジョン装置１０の機能について説明する。チューナ部１１は、マイコン１４の指示によりアンテナ２０が受信したテレビジョン放送から、所定の搬送波に重畳されたカラーテレビ信号を抽出する。カラーテレビ信号には、映像を表現するための映像信号や音声信号と、上記した映像信号を画面上で組み立てるための同期信号とを有している。同期分離回路１２は上述したカラーテレビ信号より映像信号並びに音声信号と、同期信号とを分離して、映像信号をスケーラ部１３に出力し、同期信号をマイコン１４に出力する。スケーラ部１３に入力される映像信号は色信号と輝度信号が重畳した輝度／色差分信号であり、スケーラ部１３は入力された輝度／色差分信号より再度ＲＧＢの色信号を生成するとともに、信号処理により補正を行い表示パネル１６に出力する。
【００２２】
また、スケーラ部１３の機能として、表示パネル１６を分割して複数のサブ画面を表示させることが可能である。さらに、スケーラ部１３は画面に表示するメニュー画面等の映像を構成するデータを記録したＯＳＤ部１３ａを有しており、マイコン１４からの指示に基づいて、ＯＳＤ部１３ａにて画質や音質調整のためのメニュー画面や、その他のＯＳＤ映像を表示する。上述したスケーラ部１３の機能は周知技術であるため、ここでは具体的な構成の説明を省略する。
【００２３】
表示パネル１６は、スケーラ部１３より出力されるＲＧＢの色信号と、マイコン１４より入力される同期信号により、一画面に対応する映像を表示する。表示パネル１６は、ＲＧＢの各色を表示する画素がマトリクス状に配置された表示画面１６ａと、スケーラ部１３から入力される映像信号を基に、上記表示画面１６ａの各画素を印加するための駆動回路１６ｂと、マイコン１４より出力される同期信号に基づいて、上記駆動回路１６ｂが表示画面１６ａに駆動電圧を印加するためのタイミングを取るタイミングコントローラ１６ｃとから構成されている。マイコン１４に入力された同期信号は、表示画面１６の水平方向の同期を取る水平同期信号と、垂直方向の同期を取る垂直同期信号とから構成されている。これにより、スケーラ部１３より出力されるＲＧＢの映像信号を、駆動回路１６ｂによりアナログ信号の駆動信号に変換した後、マイコン１４より出力される同期信号に基づいて、タイミングコントローラ１６ｃが水平方向と垂直方向の駆動信号のタイミングを取ることにより、水平走査により映像を表示する。
【００２４】
表示パネル１６としては、液晶パネルや、プラズマパネル、さらにはブラウン管が挙げられる。液晶パネルの場合には、表示画面１６ａを構成する画素には液晶素子が充填され、駆動回路１６ｂからの駆動電圧により液晶素子の配列を変化させ、バックライトからの光の透過率を変化させて映像を表示する。プラズマパネルの場合には、表示画面１６ａを構成する画素には、プラズマ発光を行う気体が充填され、駆動回路１６ｂからの駆動電圧によって画素を発光させて映像を表示する。さらに、ブラウン管の場合は、駆動回路１６ｂは電子銃となり、表示画面１６ａを構成する画素に電子を照射することにより画素の発光を行い映像を表示する。
【００２５】
さらに、本発明のテレビジョン装置１０は、画面に放送が表示されているかを判断して、放送が行われていないと判断した場合は、画面上に予め登録されたチャンネルに対応する放送を表示する機能を有している。登録されたチャンネルに対応する放送は、サブ画面にて表示され、サブ画面で表示したチャンネルに放送が行われているかを視覚的にユーザに表示することが可能である。上述した一連の流れは、ＲＯＭ１５に記録されたプログラムを基に、マイコン１４が中心となって各回路に指示を送る。以下にマイコン１４が実行するプログラムを基に、本発明における機能を実現するためのテレビジョン装置１０の構成の説明を行う。
【００２６】
図２は、マイコン１４が実行する放送判定プログラムを表すフローチャートである。同図より、マイコン１４は、選択されたチャンネルが現在放送を行っているかを判断するとともに、放送が行われていない場合は予め登録されたチャンネルをサブ画面上に表示する。ユーザがテレビジョン装置１０の電源をオンにして、選択したチャンネルを画面に表示させると、マイコン１４は、ＲＯＭ１５に記録された放送判定プログラムを読み出す。また、チューナ部１１を介して受信されたカラーテレビジョン信号は同期分離回路１２に出力されマイコン１４は同期分離回路１２に同期信号の分離を指示する（ステップＳ１００）。
【００２７】
（１−２）同期信号検出方法
本発明のテレビジョン装置１０は、選択されたチャンネルが現在放送を行っているかを判断するために、カラーテレビジョン信号の同期信号を検出して放送のあるなしの判断を行う。前述したようにテレビジョン装置１０はカラーテレビジョン信号から同期信号を分離する同期分離回路１２を有している。同期分離回路１２はカラーテレビジョン信号から同期信号の分離を行うと、分離した同期信号をマイコン１４へ出力する。マイコン１４は、入力された同期信号の内水平同期信号の検出を行い、放送のあるなしの判断を行う（ステップＳ１１０）。図３は、同期分離回路１２により分離される同期信号を表す信号図である。同図より、同期信号は、所定周期を有するパルス波として同期分離回路１２によりカラーテレビジョン信号より分離される。
【００２８】
次に、マイコン１４が同期信号を検出する方法を説明する。例えば、チューナ部が受信したテレビジョン放送がアナログ放送の場合では、同期分離回路１２によりカラーテレビ信号から同期信号が分離されるとともに、内蔵するアナログ／ディジタル変換部によりアナログ信号をディジタル信号化してマイコン１５に出力する。このとき、同期分離回路１２よりマイコン１５へ入力される同期信号は所定周期を有するパルス波である。そのため、マイコン１４は入力された同期信号を所定の電圧値を有するしきい値Ｔと比較することにより、同期信号の検出を行うことが可能となる。具体的には、同期信号の最大電圧をＢとし、実行電圧をＶ０とすると、同期信号は所定周期ごとに立ち上がりと立下りを行うパルス波であるため、同期信号の立ち上がり時の電圧をしきい値と比較する。比較を行うしきい値電圧Ｖｔの値は、実行電圧より小さいＶ０＞Ｖｔとする。これにより、同期信号の立ち上がりにおける電圧がＶｔ以上である場合を同期信号ありとみなし、Ｖｔ以下の信号を同期信号なしとする。
【００２９】
また、同期信号は所定周期を有するパルス波であるため、所定周波数における信号の変化を読み取ることで、同期信号を検出する方法としてもよい。さらに、現在は、テレビジョン装置１０のチューナ部１１やマイコン１４並びにスケーラ部１３を一つのチップに内蔵して、回路を１チップ化するのが主流となっている。このような１チップ化された回路構成においては、同期信号を分離する部位にて、同期信号が分離された後、同期信号を検出したことを示す同期信号検出信号を、マイコン１４に相当する中央演算部に出力している。そのため、上述した１チップ化された回路においては、従来の機能を利用することにより同期信号の検出を行うことが可能である。これによりマイコン１４は同期信号検出手段を実現する。
【００３０】
（１−３）サブ画面表示方法
上述した方法により、マイコン１４が同期信号の検出を行うと、マイコン１４はスケーラ部１３に画面上にサブ画面を表示するよう指示する（ステップＳ１２０）。このとき、画面に表示されるサブ画面の数は、予め登録されたチャンネルの数に基づいて決定される。具体的には、メニュー画面等により、７つのチャンネルを登録した場合は画面上に７つのサブ画面が表示されることとなる。図４は、画面に表示されるサブ画面を表すイメージ図である。同図より、画面中央に８つのサブ画面が表示されるとともに、その内の７つに後述する方法にて映像が表示される。また、画面上方に「放送が終了しました。下記より、チャンネルを選んでください」の文字列が表示され、画面下方に「選択しない場合は１５分で電源が切れます」の文字列が表示される。上述した図４に示す画面を構成するデータは、スケーラ部１３のＯＳＤ部１３ａにて生成される。これにより、マイコン１４とＲＯＭ１５にて放送判断手段、さらにマイコン１４、ＲＯＭ１５、およびスケーラ部１３にて他番組表示手段を実現する。また、図４に表す画面は一例であり、サブ画面や文字列の配置方法等は設計事項である。
【００３１】
次に、マイコン１４はサブ画面に表示するための映像を受信するようチューナ部１１に指示を出す（ステップＳ１３０）。このとき、マイコン１４は各サブ画面に映像が出力されるよう、チューナ部１１が検波する搬送波を所定周期ごとに切替させる。これによりチューナ部１１は予め登録されたチャンネルの放送を重畳した搬送波を次々受信してカラーテレビ信号を抽出する。これにより複数のサブ画面に映像が表示されることとなる。具体的には、画面上にサブ画面を７つ表示する場合、マイコン１４は予め記録した７つのチャンネルに対応する搬送波を所定周期ごとに検波するようチューナ部１１に指示する。上述した方法により、チューナ部１１は所定周期ごとに、搬送波を検波してカラーテレビジョン信号を出力する。その後スケーラ部１３は同期信号が分離した映像信号を受け取ると、ＯＳＤ部１３ａにて構成するサブ画面に各周期ごとに入力される映像を重畳して図４示す画面を構成する。
【００３２】
最後に、ユーザが図４に示す画面を見ながら、サブ画面上に表示された放送に対応するチャンネルを選択した場合は（ステップＳ１４０）、マイコン１４は選択したチャンネルを一画面で表示するようチューナ部１１に指示を出す（ステップＳ１６０）。逆に、ユーザが何も選択しない場合は、テレビジョン装置１０の電源をオフにする（ステップＳ１５０）。その後、マイコン１４は、通常の待機モードに移行してユーザからの指示を受け付ける。
【００３３】
（２）第一の実施の形態のまとめ
以上説明したように、本発明の実施の形態でのテレビジョン装置１０は、選択したチャンネルが放送を行っているかを同期信号にて判断するとともに、放送が行われていない場合は画面上にサブ画面を表示して予め登録されたチャンネルに対応する放送を表示する。そのため、ユーザは、放送が行われていない場合に、サブ画面を見ながら次に選択するチャンネルを決定することが可能となる。このため、膨大なチャンネルから次に選択するチャンネルを簡易に選択することができるとともに、サブ画面を見ながら放送を判断するため放送が行われていないチャンネルを選択するのを防止することができる。
【００３４】
（３）第二の実施の形態
上述した第一の実施の形態では、選択したチャンネルが放送を行っていない場合は、画面上にサブ画面を表示して予め登録された他のチャンネルを表示する構成としている。上述した、第一の実施の形態では、ユーザにサブ画面を参照してもらうことによりサブ画面に表示されている放送の内容や放送が行われているかを判断してもらう構成となっている。そこで、第二の実施の形態では、画面に表示されるサブ画面の色を放送のあるなしによって視覚的に区別できるようにすることで、ユーザにチャンネル選択をより一層行い易くする構成としている。
【００３５】
図５は、第二の実施の形態における画面に表示されるサブ画面を表す図である。同図より、画面中央に８つのサブ画面が表示されるとともに、その内の７つに後述する方法にて映像が表示される。また、画面上方に「放送が終了しました。下記より、チャンネルを選んでください」の文字列が表示されている。また、画面下方にユーザがどのサブ画面が放送が行われているかを判断できるよう、放送なしを表す色が変更されたサブ画面と、放送が行われていることを表す色が変更されていないサブ画面が表示されている。さらに、その下には「選択しない場合は１５分で電源が切れます」の文字列が表示されている。
【００３６】
同図より予め登録されたチャンネルの内、チャンネル３、９、１１は放送が行われていないため、画面の色が他のサブ画面に比べて変更されている。これにより、ユーザは放送が行われていないチャンネルを容易に判別することが可能となる。また、図６は第二の実施の形態での、マイコン１４が実行するプログラムの流れを表すフローチャートである。第二の実施の形態でも、第一の実施の形態同様マイコン１４の制御の基、本発明の機能を実現している。以下に図５〜図６を参照して、本発明に係る第二の実施の形態について説明を行う。
【００３７】
以下に図６に示すフローチャートを基に第二の実施の形態でのテレビジョン装置１０の機能を説明する。図６に示すフローチャートは、前述した図２に表したフローチャートとステップＳ２３０までは同様であるため、Ｓ２３０以降の流れを中心に説明を行う。ステップＳ２３０により、マイコン１４がチューナ部１１に各サブ画面に表示するためのチャンネルに対応するカラーテレビジョン放送を抽出するよう指示を出した後、マイコン１４は抽出されたチャンネルが現在放送を行っているかどうかを判断する（ステップＳ２４０）。
【００３８】
このときマイコン１４がサブ画面に表示するチャンネルが放送を行っているかを判断する手法として、第二の実施の形態でのテレビジョン装置１０は、前述したカラーテレビジョン放送の同期信号の検出を基に放送のあるなしの判断を行う。つまり、チューナ部１１が抽出したサブ画面上に表示するためのカラーテレビジョン信号より、同期分離回路１２が同期信号を分離した後、分離した同期信号をマイコン１４が検出することによりサブ画面に表示されるチャンネルの放送のあるなしを判断する。
【００３９】
また、放送のあるなしを判断する他の一例として、テレビジョン放送に重畳されて出力される電子番組表をマイコン１４が参照して、放送のあるなしを判断するものでぁってもよい。サブ画面に表示するチャンネルは予めユーザの指示により登録されているため、マイコン１４は、上述した登録されたチャンネルと電子番組表を対比させることにより、放送のあるなしを判断することが可能となる。
【００４０】
さらに、マイコン１４は、サブ画面に表示されたチャンネルに放送が行われていないと判断した場合は（ステップＳ２５０）、サブ画面の色を変更するようスケーラ部１３に指示を出す（ステップＳ２６０）。サブ画面の色を変更する具体的方法の一例として、第二の実施の形態でのテレビジョン装置１０は、スケーラ部１３に入力される映像信号のＲＧＢの色の内、いずれか一つを強調するよう信号処理を行うことでサブ画面の色を変化させる。具体的には、サブ画面の色を赤とする場合は、サブ画面を構成する映像信号のＲを強調するよう補正を行えばよい。
【００４１】
上述した流れであるサブ画面に表示されるチャンネルの放送のあるなしは、画面上に表示された全サブ画面に対して実行される（ステップＳ２７０）。  上述した方法により画面上で図５に示す映像が表示された後、ユーザが画面を見ながら、サブ画面上に表示された放送に対応するチャンネルを選択した場合は（ステップＳ２８０）、マイコン１４は選択したチャンネルを一画面で表示するようチューナ部１１に指示を出す（ステップＳ３００）。逆に、ユーザが何も選択しない場合は、テレビジョン装置１０の電源をオフにする（ステップＳ２９０）。その後、マイコン１４は、通常の待機モードに移行してユーザからの指示を受け付ける。
【００４２】
（４）第二の実施の形態のまとめ
以上説明したように、第二の実施の形態でのテレビジョン装置１０は、第一の実施の形態同様、選択したチャンネルが放送を行っているかを判断するとともに、放送が行われていない場合は画面上にサブ画面を表示して予め登録されたチャンネルに対応する放送をサブ画面に表示するとともに、以下に記す効果を有する。つまり、画面上に表示されるサブ画面を放送のあるなしで色分けするため、ユーザは選択を行うチャンネルが放送が行われているかを画面上の色を用いて識別することが可能となる。そのため、ユーザは放送が行われていないチャンネルの選択を防止することが可能となり、チャンネル選択をより的確に行うことが可能となる。
【００４３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４４】
【図１】テレビジョン装置のブロック構成図である。
【図２】マイコンが実行する放送判定プログラムを表すフローチャートである。
【図３】同期分離回路により分離される同期信号を表す信号図である。
【図４】画面に表示されるサブ画面を表すイメージ図である。
【図５】第二の実施の形態での、画面に表示されるサブ画面を表す図である。
【図６】第二の実施の形態での、マイコンが実行するプログラムの流れを表すフローチャートである。
【符号の説明】
【００４５】
１０…テレビジョン装置、１１…チューナ部、１２…同期分離回路、１３…スケーラ部、１３ａ…ＯＳＤ部、１４…マイコン、１５…ＲＯＭ、１６…表示パネル、１６…表示画面、１６ａ…表示画面、１６ｂ…駆動回路、１６ｃ…タイミングコントローラ、２０…アンテナ
【図１】
2008103908.tif 000003
【図２】
2008103908.tif 000004
【図３】
2008103908.tif 000005
【図４】
2008103908.tif 000006
【図５】
2008103908.tif 000007
【図６】
2008103908.tif 000008